(57)【要約】【課題】ガタツキ量を許容範囲内に収めるとともに、機器の剛性を低下させることのない機構を備えるスライド式端末機器を提供する。【解決手段】ガタツキ抑制ボルト６は、キー側筐体２に設けられたボルト穴６ａを用いて、その先端が表示器側筐体１側に突出するように螺合されている。ボルト穴６ａは、ボルト穴６ａにガタツキ抑制ボルト６を螺合させた状態において、ガタツキ抑制ボルト６の先端部が、スライドレール３のレール部３ｂに当接可能な位置に設けられる。ガタツキ抑制ボルト６の先端部分は、滑らかな曲面に仕上げられている。ガタツキ抑制ボルト６とキー側筐体２との間には、固定接着剤７が塗布されることにより、ガタツキ抑制ボルト６の組み立て後の緩みを防止している。【選択図】図５
2009206587.tif 000002
【特許請求の範囲】
【請求項１】
第１の筐体と第２の筐体とが相互にスライド可能に組み合わされたスライド式端末機器であって、
前記第１の筐体に取り付けられるスライドレール部と、
前記第２の筐体に取り付けられ、前記スライドレール部を摺動可能に受け入れるスライドガイド部材と、
前記第２の筐体に取り付けられ、その先端部が前記スライドレール部に当接するボルトと、を備えるスライド式端末機器。
【請求項２】
前記スライドレール部に溝を設け、
前記溝に前記ボルトの先端部が嵌り込む、請求項１に記載のスライド式端末機器。
【請求項３】
前記ボルトの先端部に、円錐面有するとともに前記ボルトの軸と同軸の回転軸を有する回転部材を含み、
前記円錐面が前記スライドレール部に当接する、請求項１に記載のスライド式端末機器。
【請求項４】
前記第２の筐体の表面に潤滑シートをさらに備え、
前記ボルトは前記潤滑シートに当接し、前記潤滑シートが前記スライドレールに接触した、請求項１に記載のスライド式端末機器。
【発明の詳細な説明】
【技術分野】
【０００１】
この発明は、スライド機構を備えたスライド式端末機器に関するものである。
【背景技術】
【０００２】
従来のスライド式端末機器には、表示器側筐体とキー側筐体とをスライド機構で連結する構造が採用されている。スライド機構のガタツキを抑制するため、表示器側筐体またはキー側筐体に固定ガイド部品を設けて、スライド機構に生じる隙間を小さくする構成が、下記特許文献１に開示されている。
【０００３】
また、スライド機構のガタツキを抑制する他の方法として、スライド機構の内部に板バネを設け、この板バネの弾性力を利用して、スライド機構を構成する部品を一方向に押し当ててガタツキを抑制する構成が、下記特許文献２に開示されている。
【０００４】
また、筐体の摺動部にバネとベアリングとを設けて、バネの弾性力を一方向に押し当ててガタツキを抑制する構成が、下記特許文献３に開示されている。
【特許文献１】特開２００６−２０２４５号公報
【特許文献２】特開２００５−２９１３１５号公報
【特許文献３】特開２００３−２３４８０９号公報
【発明の開示】
【発明が解決しようとする課題】
【０００５】
このような表示器側筐体とキー側筐体とが相互に摺動するスライド機構において、機構を構成するレールやガイドの寸法に必ずばらつきが発生する。この寸法のばらつきを考慮してスライド機構を設計した場合、レールとガイドとの間に一定量の隙間を設ける必要があり、ガタツキを無くすことができないという課題がある。
【０００６】
また、バネの弾性力を利用して、レールをガイドに押し当てることで、ガタツキをなくす構造とした端末機器では、バネの弾性変形により、外力に対する剛性が弱くなるという課題がある。
【０００７】
本発明は、上記のような解題を解決するためになされたものであり、構成される部品の寸法ばらつきがあってもガタツキ量を許容範囲内に収めるとともに、機器の剛性を低下させることのない機構を備えるスライド式端末機器を提供することを目的とする。
【課題を解決するための手段】
【０００８】
この発明に基づいたスライド式端末機器においては、第一の筐体と第二の筐体とが相互にスライド可能に組み合わされたスライド式端末機器であって、上記第一の筐体に取り付けられるスライドレール部と、上記第二の筐体に取り付けられ、上記スライドレール部を摺動可能に受け入れるスライドガイド部材と、上記第二の筐体に取り付けられ、その先端部が上記スライドレール部に当接するボルトとを備えている。
【発明の効果】
【０００９】
この発明に基づいたスライド式端末機器によれば、スライドレールをスライドガイドに押し当てるために用いられるボルトを第二の筐体に取り付けたことにより、ガタツキの発生が抑制され、筐体部品、スライドレール、およびスライドガイドの加工精度のばらつきにかかわらず、ボルトの締め付け量を調整することで、組立時にガタツキ量を調整することができる。その結果、許容範囲内のガタツキ量を有するスライド式端末機器を安定して提供することが可能となる。また、ボルトを設ける構成であることから、機器の剛性を低下させることもない。
【発明を実施するための最良の形態】
【００１０】
以下、この発明に基づいた各実施の形態におけるスライド式端末機器について図を参照しながら説明する。なお、各実施の形態においては、スライド式端末機器の一例としてスライド式携帯電話に本発明を適用した場合について説明しているが、本発明の対象は、携帯電話に限定されるものでなく、携帯端末機器等、上下筐体間を相互にスライドさせる機構を有するスライド式の端末機器に対して広く適用することができるものである。
【００１１】
また、各実施の形態における説明において、同一または相当部分については、同一の参照符号を付し、重複する説明は繰り返さない場合がある。
【００１２】
（実施の形態１）
図１から図７を参照して、この発明に基づいた実施の形態１におけるスライド式携帯電話について説明する。なお、図１は、本実施の形態におけるスライド式携帯電話のスライド開状態での外観構成を示す斜視図であり、図２は、本実施の形態におけるスライド式携帯電話のスライド閉状態での外観構成を示す斜視図である。図３は、キー側筐体の表面側の外観構成を示す斜視図であり、図４は、表示器側筐体の内面側の外観構成を示す斜視図である。また、図５は、図１中Ｖ−Ｖ線矢視断面図であり、図６は、図２中ＶＩ−ＶＩ線矢視におけるスライド閉状態での断面図であり、図７は、図１中ＶＩＩ−ＶＩＩ線矢視におけるスライド開状態での断面図である。
【００１３】
図１および図２に示すように、スライド式携帯電話１０は、第１の筐体としての表示器側筐体１と、第２の筐体としてのキー側筐体２とが、その長手方向に沿って相互にスライド可能に設けられている。図１に示すように、キー側筐体２に対して表示器側筐体１がスライドし、最も伸長したスライド開状態では、表示器側筐体１の表面に設けられたキー８が露出する状態となる。一方、図２に示すように、キー側筐体２に対して表示器側筐体１がスライドし、最も収縮したスライド閉状態では、表示器側筐体１の表面に設けられたキー８が、表示器側筐体１により覆い隠された状態となる。
【００１４】
図３を参照して、キー側筐体２の表面側には、中央よりも上部側に、両側の側部が内側にコの字状に成形されたスライドガイド５が取り付けられている。また、中央よりも下部側には、キー８が複数配列されている。また、スライドガイド５を取りかこむように合計４箇所、ガタツキ抑制ボルト６が取り付けられている。また、図４を参照して、表示器側筐体１の裏面側の両側には、略表示器側筐体１の長さ方向の全長にわたって、スライドレール３が取り付けられている。
【００１５】
図５を参照して、スライドレール３は、外側に向かって張り出す板金製のレール部３ａと、このレール部３ａに嵌め合わせられる樹脂製のレール部３ｂとを有している。板金製のレール部３ａと樹脂製のレール部３ｂとを組み合わせることで、強度と摺動性との確保を可能としている。
【００１６】
ガタツキ抑制ボルト６は、キー側筐体２に設けられたボルト穴６ａを用いて、その先端が表示器側筐体１側に突出するように螺合されている。ボルト穴６ａは、ボルト穴６ａにガタツキ抑制ボルト６を螺合させた状態において、ガタツキ抑制ボルト６の先端部が、スライドレール３のレール部３ｂに当接可能な位置に設けられる。ガタツキ抑制ボルト６の先端部分は、滑らかな曲面に仕上げられている。ガタツキ抑制ボルト６とキー側筐体２との間には、固定接着剤７が塗布されることにより、ガタツキ抑制ボルト６の組み立て後の緩みを防止している。
【００１７】
図６および図７に示すように、本実施の形態においては、ガタツキ抑制ボルト６を４箇所設け、ガタツキ抑制ボルト６の先端部分をレール部３ｂに当接させることで、スライドレール３は、スライドガイド５の表示器側筐体１側に押し付けられる。ここで、このガタツキ抑制ボルト６の突出量を最適化することで、ガタツキ量を最小限に抑制させながら、表示器側筐体１に対するキー側筐体２のスライドを可能とする。なお、スライド方向に対して、スライドガイド５を挟むようにガタツキ抑制ボルト６を配置することで、スライドガイド５内でのスライドレール３のガタツキを効果的に抑制することを可能としている。
【００１８】
次に、図８から図１０を参照して、本実施の形態におけるスライド式携帯電話の組立工程について説明する。図８から図１０は、キー側筐体２の内側からガタツキ抑制ボルト６を一定トルクで締め付ける手順を示す第１から第３の図である。まず、図８に示すように、キー側筐体２のスライドガイド５に、表示器側筐体１のスライドレール３を嵌合させ、キー側筐体２に対して表示器側筐体１をスライド可能な状態にする。
【００１９】
次に、図９を参照して、キー側筐体２の内側からガタツキ抑制ボルト６を一定トルクで締め付ける。このときガタツキ抑制ボルト６の先端がレール３に一定の力で押し付けられる。その後、図１０を参照して、固定接着剤７でガタツキ抑制ボルト６とキー側筐体２とを接着固定し、ガタツキ抑制ボルト６が回転しないように固定する。
【００２０】
なお、ガタツキ抑制ボルト６の締め付け方法としては、図１１から図１４に示す方法も挙げられる。図１１から図１４は、キー側筐体２の内側からガタツキ抑制ボルト６を締め付ける他の手順を示す第１から第４の図である。
【００２１】
図１１および図１２は、上記図８および図９に示す工程と同じであり、キー側筐体２のスライドガイド５に、表示器側筐体１のスライドレール３を嵌合させ、キー側筐体２に対して表示器側筐体１をスライド可能な状態する。その後、キー側筐体２の内側からガタツキ抑制ボルト６を一定トルクで締め付ける。
【００２２】
次に、図１３を参照して、ガタツキ抑制ボルト６を一定角度だけネジを緩める方向に回転させてガタツキ抑制ボルト６とレール３の間に必要な隙間Ｓ設ける。その後、図１４を参照して、固定接着剤７でガタツキ抑制ボルト６とキー側筐体２とを接着固定し、ガタツキ抑制ボルト６が回転しないように固定する。
【００２３】
以上、本実施の形態におけるスライド式携帯電話１０によれば、スライドレール３が取り付けられた表示器側筐体１と、スライドガイド５が取り付けられたキー側筐体２がスライド可能に連結されたスライド式携帯電話において、ガタツキ抑制ボルト６がキー側筐体２の内側からネジ込まれてスライドレール３に接触し、スライドレール３をスライドガイド５の一定方向に押さえつけて、固定接着剤７でガタツキ抑制ボルト６が組立後緩まないように固定されている。
【００２４】
これにより、スライド式携帯電話１０の量産時におけるスライドレール３、およびスライドガイド５の寸法ばらつきによって、スライドレール３とスライドガイド５との間に許容範囲を超えるガタツキが発生した場合であっても、バネ要素を用いないガタツキ抑制ボルト６によって、スライドレール３がスライドガイド５を一定方向に押さえつけることを可能としているため、表示器側筐体１とキー側筐体２の間で厚み方向のガタツキを、許容範囲内に抑えることが可能となる。また、バネ要素を用いず、ボルトを設ける構成であることから、機器の剛性を低下させることもない。
【００２５】
（実施の形態２）
次に、図１５および図１６を参照して、この発明に基づいた実施の形態２におけるスライド式携帯電話について説明する。本実施の形態の特徴は、スライドレール３に設けられる樹脂製のレール部の形状にあり、その他の構成は、上記実施の形態１におけるスライド式携帯電話と同じである。
【００２６】
したがって、ここでは、樹脂製のレール部の形状についてのみ詳細に説明する。なお、図１５は、この発明に基づいた実施の形態２におけるスライド式携帯電話に採用される樹脂製のレール部の構造を示す拡大断面図であり、図１６は、この発明に基づいた実施の形態２におけるスライド式携帯電話に採用される樹脂製のレール部の他の構造を示す拡大断面図である。
【００２７】
図１５に示すように、本実施の形態における樹脂製のレール部３１ｂには、紙面の垂直方向に延びる断面がＶ字形状の溝３１０が設けられ、この溝３１０にガタツキ抑制ボルト６の先端部が嵌り込むように構成されている。なお、この溝形状は、図１６に示す樹脂製のレール部３２ｂに示すように、断面が円弧形状の溝３２０であってもかまわない。
【００２８】
以上、本実施の形態におけるスライド式携帯電話によれば、ガタツキ抑制ボルト６の先端部がスライドレール３のＶ溝３１０（または円弧溝３２０）にはまり込んだ状態で、スライドレール３がスライド動作するため、表示器側筐体１とキー側筐体２との間で、スライド式携帯電話の厚み方向（図中Ｙ方向）、およびスライド方向と垂直な方向（図中Ｘ方向）へのガタツキを抑制することが可能なスライド状態を実現することが可能となる。なお、スライド方向は、紙面に対して垂直な方向となる。
【００２９】
（実施の形態３）
次に、図１７を参照して、この発明に基づいた実施の形態３におけるスライド式携帯電話について説明する。本実施の形態の特徴は、スライドレール３に設けられる樹脂製のレール部の形状およびガタツキ抑制ボルトにあり、その他の構成は、上記実施の形態１におけるスライド式携帯電話と同じである。
【００３０】
したがって、ここでは、樹脂製のレール部の形状、およびガタツキ抑制ボルトの構造についてのみ詳細に説明する。なお、図１７は、この発明に基づいた実施の形態３におけるスライド式携帯電話の、図１中Ｖ−Ｖ線矢視に対応する断面図である。
【００３１】
まず、本実施の形態におけるガタツキ抑制ボルト３５は、先端部に回転部材３４が設けられている。この回転部材３４は、先端部に円錐面３４ａを有し、ガタツキ抑制ボルト３５の軸ａ１と同軸の回転軸ａ２を有している。ガタツキ抑制ボルト３５のキー側筐体２への固定は、回転部材３４の円錐面３４ａがレール部３３ｂに接触するようにガタツキ抑制ボルト３５を一定のトルクで締め込み、固定接着剤７で固定する。
【００３２】
以上、本実施の形態におけるスライド式携帯電話によれば、ガタツキ抑制ボルト３５の先端部に設けられた回転部材３４が、スライドレール３のスライド動作にともなって回転することから、スライドレール３とガタツキ抑制ボルト３５との間の摩擦を低減させ、滑らかなスライド動作の実現を可能とする。
【００３３】
（実施の形態４）
次に、図１８を参照して、この発明に基づいた実施の形態４におけるスライド式携帯電話について説明する。本実施の形態の特徴は、上記実施の形態１におけるスライド式携帯電話の構成と比較して、キー側筐体２の表面に潤滑シート４１を配設している点にある。なお、図１８は、この発明に基づいた実施の形態４におけるスライド式携帯電話の、図２中ＶＩ−ＶＩ線矢視に対応する断面図である。
【００３４】
本実施の形態におけるスライド式携帯電話によれば、ガタツキ抑制ボルト６をねじ込むことで潤滑シート４１が弾性変形し、潤滑シート４１をスライドレール３に接触させることができる。潤滑シート４１を設けるのは、ガタツキ抑制ボルト６を覆っていれば、キー側筐体２の表面の一部であっても全面であってもかまわない。
【００３５】
また、潤滑シート４１は表面のすべり性がよい弾性変形するシートとし、たとえばテフロン（登録商標）樹脂などで構成する。これにより、ガタツキ抑制ボルト６とレール３との間の潤滑性が向上し、接触面積も大きくなるため、スライド動作によってガタツキ抑制ボルト６とスライドレール３が擦れて、スライドレール３に傷がつくのを防止することができる。また、ガタツキ抑制ボルト６の先端部が見えなくできるので、意匠面でも高品位なスライド式携帯電話を提供することができる。
【００３６】
なお、今回開示された上記各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３７】
【図１】この発明に基づいた実施の形態１におけるスライド式携帯電話のスライド開状態での外観構成を示す斜視図である。
【図２】この発明に基づいた実施の形態１におけるスライド式携帯電話のスライド閉状態での外観構成を示す斜視図である。
【図３】この発明に基づいた実施の形態１におけるスライド式携帯電話に採用されるキー側筐体の表面側の外観構成を示す斜視図である。
【図４】この発明に基づいた実施の形態１におけるスライド式携帯電話に採用される表示器側筐体の内面側の外観構成を示す斜視図である。
【図５】図１中Ｖ−Ｖ線矢視断面図である。
【図６】図２中ＶＩ−ＶＩ線矢視におけるスライド閉状態での断面図である。
【図７】図１中ＶＩＩ−ＶＩＩ線矢視におけるスライド開状態での断面図である。
【図８】この発明に基づいた実施の形態１におけるスライド式携帯電話のキー側筐体の内側からガタツキ抑制ボルトを一定トルクで締め付ける手順を示す第１の図である。
【図９】この発明に基づいた実施の形態１におけるスライド式携帯電話のキー側筐体の内側からガタツキ抑制ボルトを一定トルクで締め付ける手順を示す第２の図である。
【図１０】この発明に基づいた実施の形態１におけるスライド式携帯電話のキー側筐体の内側からガタツキ抑制ボルトを一定トルクで締め付ける手順を示す第３の図である。
【図１１】この発明に基づいた実施の形態１におけるスライド式携帯電話のキー側筐体の内側からガタツキ抑制ボルトを一定トルクで締め付ける他の手順を示す第１の図である。
【図１２】この発明に基づいた実施の形態１におけるスライド式携帯電話のキー側筐体の内側からガタツキ抑制ボルトを一定トルクで締め付ける他の手順を示す第２の図である。
【図１３】この発明に基づいた実施の形態１におけるスライド式携帯電話のキー側筐体の内側からガタツキ抑制ボルトを一定トルクで締め付ける他の手順を示す第３の図である。
【図１４】この発明に基づいた実施の形態１におけるスライド式携帯電話のキー側筐体の内側からガタツキ抑制ボルトを一定トルクで締め付ける他の手順を示す第４の図である。
【図１５】この発明に基づいた実施の形態２におけるスライド式携帯電話に採用される樹脂製のレール部の構造を示す拡大断面図である
【図１６】この発明に基づいた実施の形態２におけるスライド式携帯電話に採用される樹脂製のレール部の他の構造を示す拡大断面図である。
【図１７】この発明に基づいた実施の形態３におけるスライド式携帯電話の、図１中Ｖ−Ｖ線矢視に対応する断面図である。
【図１８】この発明に基づいた実施の形態４におけるスライド式携帯電話の、図２中ＶＩ−ＶＩ線矢視に対応する断面図である。
【符号の説明】
【００３８】
１  表示器側筐体、２  キー側筐体、３  スライドレール、３ａ，３ｂ，３１ｂ，３２ｂ，３３ｂ  レール部、５  スライドガイド、８  キー、６，３５  ガタツキ抑制ボルト、６ａ  ボルト穴、７  固定接着剤、１０  スライド式携帯電話、３４  回転部材、３４ａ  円錐面、４１  潤滑シート、３１０，３２０  溝、ａ１  軸、ａ２  回転軸、Ｓ  隙間。
【図１】
2009206587.tif 000003
【図２】
2009206587.tif 000004
【図３】
2009206587.tif 000005
【図４】
2009206587.tif 000006
【図５】
2009206587.tif 000007
【図６】
2009206587.tif 000008
【図７】
2009206587.tif 000009
【図８】
2009206587.tif 000010
【図９】
2009206587.tif 000011
【図１０】
2009206587.tif 000012
【図１１】
2009206587.tif 000013
【図１２】
2009206587.tif 000014
【図１３】
2009206587.tif 000015
【図１４】
2009206587.tif 000016
【図１５】
2009206587.tif 000017
【図１６】
2009206587.tif 000018
【図１７】
2009206587.tif 000019
【図１８】
2009206587.tif 000020